(57)【要約】【課題】ＰＷＭ方式及びＦＲＣ方式の階調表示を行う際に、中間調の濃度設定の自由度を向上させる電気光学装置の駆動方法等を提供する。【解決手段】電気光学装置をＭＬＳ駆動法により駆動する電気光学装置の駆動方法は、各コモン電極及び各セグメント電極の交差領域に設けられる各ドットに対応したＮ（Ｎは２以上の整数）ビットの表示データを、それぞれＭ（Ｎ＜Ｍ、Ｍは３以上の整数）ビットの階調パラメーターに割り当てる階調パラメーター割当ステップと、同時選択された複数のコモン電極の選択期間を分割した複数の分割期間のうち、階調パラメーター割当ステップにおいて割り当てられた階調パラメーターの少なくとも一部に対応した分割期間において、階調パラメーターの一部に基づいて選択されたＦＲＣパターンに対するＭＬＳ演算結果に対応した駆動電圧を前記複数のセグメント電極に印加する駆動ステップとを含む。【選択図】図５
2011137929.tif 000002
【特許請求の範囲】
【請求項１】
互いに交差する複数のコモン電極及び複数のセグメント電極を有する電気光学装置を同時選択（Multi Line Selection：以下、ＭＬＳ）駆動法により駆動する電気光学装置の駆動方法であって、
各コモン電極及び各セグメント電極の交差領域に設けられる各ドットに対応したＮ（Ｎは２以上の整数）ビットの表示データを、それぞれＭ（Ｎ＜Ｍ、Ｍは３以上の整数）ビットの階調パラメーターに割り当てる階調パラメーター割当ステップと、
同時選択された複数のコモン電極の選択期間を分割したサブ選択期間を更に分割した複数の分割期間のうち、前記階調パラメーター割当ステップにおいて割り当てられた前記階調パラメーターの少なくとも一部に対応した分割期間において、前記階調パラメーターの一部に基づいて選択されたフレームレートコントロール（Frame Rate Control：以下、ＦＲＣ）パターンが示す表示パターンに対するＭＬＳ演算結果に対応した駆動電圧を前記複数のセグメント電極に印加する駆動ステップとを含むことを特徴とする電気光学装置の駆動方法。
【請求項２】
請求項１において、
前記駆動ステップは、
前記複数の分割期間のうち、前記階調パラメーター割当ステップにおいて割り当てられた前記階調パラメーターの一部に対応した第１の分割期間において、前記階調パラメーターの一部に基づいて選択された第１のフレームレートコントロール（Frame Rate Control：以下、ＦＲＣ）パターンが示す表示パターンに対するＭＬＳ演算結果に対応した駆動電圧を前記複数のセグメント電極に印加する第１の分割期間駆動ステップと、
前記複数の分割期間のうち、前記階調パラメーター割当ステップにおいて割り当てられた前記階調パラメーターの一部に対応した第２の分割期間において、前記階調パラメーターの一部に基づいて選択された第２のＦＲＣパターンが示す表示パターンに対するＭＬＳ演算結果に対応した駆動電圧を前記複数のセグメント電極に印加する第２の分割期間駆動ステップとを含むことを特徴とする電気光学装置の駆動方法。
【請求項３】
請求項２において、
前記階調パラメーターの上位ビットに基づいて、前記第１の分割期間又は前記第２の分割期間を選択することを特徴とする電気光学装置の駆動方法。
【請求項４】
請求項３において、
前記階調パラメーターの下位ビットに基づいて選択されたＦＲＣパターンが示す表示パターンに対するＭＬＳ演算結果に対応した駆動電圧を前記複数のセグメント電極に印加することを特徴とする電気光学装置の駆動方法。
【請求項５】
請求項３又は４において、
前記階調パラメーターの上位２ビットに基づいて、前記サブ選択期間を２分割した前記第１の分割期間及び前記第２の分割期間のいずれかを選択することを特徴とする電気光学装置の駆動方法。
【請求項６】
請求項２乃至５のいずれかにおいて、
前記サブ選択期間内に、前記第１の分割期間及び前記第２の分割期間の順序が切り替え可能であることを特徴とする電気光学装置の駆動方法。
【請求項７】
請求項６において、
セグメント出力毎に、前記サブ選択期間内における前記第１の分割期間及び前記第２の分割期間の順序が反対となるように設定されることを特徴とする電気光学装置の駆動方法。
【請求項８】
請求項６又は７において、
所定の期間毎に、前記第１の分割期間及び前記第２の分割期間の順序を変更することを特徴とする電気光学装置の駆動方法。
【請求項９】
互いに交差する複数のコモン電極及び複数のセグメント電極を有する電気光学装置を同時選択（Multi Line Selection：以下、ＭＬＳ）駆動法により駆動する電気光学装置の駆動方法であって、
各コモン電極及び各セグメント電極の交差領域に設けられる各ドットに対応したＮ（Ｎは２以上の整数）ビットの表示データを、それぞれＭ（Ｎ＜Ｍ、Ｍは３以上の整数）ビットの階調パラメーターに割り当てる階調パラメーター割当ステップと、
同時選択される複数のコモン電極の選択期間を分割したサブ選択期間において、前記階調パラメーターの少なくとも一部に基づいてパルス幅変調法（Pulse Width Modulation：以下、ＰＷＭ）及びフレームレートコントロール（Frame Rate Control：以下、ＦＲＣ）により階調処理を行った信号に対するＭＬＳ演算結果に対応した駆動電圧を前記複数のセグメント電極に印加する駆動ステップとを含むことを特徴とする電気光学装置の駆動方法。
【請求項１０】
請求項９において、
前記駆動ステップは、
前記サブ選択期間を分割した複数の分割期間のうち、前記階調パラメーター割当ステップにおいて割り当てられた前記階調パラメーターの少なくとも一部に対応した分割期間を選択するＰＷＭデコードステップと、
前記階調パラメーターの一部に基づいて選択されたＦＲＣパターンに基づいて、ＦＲＣデータを生成するＦＲＣデコードステップと、
前記ＰＷＭデコードステップにおいて選択された前記分割期間において、前記ＦＲＣデコードステップにおいて生成された前記ＦＲＣデータに対して所与のＭＬＳ演算を行うＭＬＳデコードステップとを含み、
前記ＭＬＳデコードステップにおける前記ＭＬＳ演算結果に対応した駆動電圧を前記複数のセグメント電極に印加することを特徴とする電気光学装置の駆動方法。
【請求項１１】
請求項１乃至１０のいずれかにおいて、
前記電気光学装置は、液晶表示装置であることを特徴とする電気光学装置の駆動方法。
【請求項１２】
互いに交差する複数のコモン電極及び複数のセグメント電極を有する電気光学装置を同時選択（Multi Line Selection：以下、ＭＬＳ）駆動法により駆動する電気光学装置の駆動装置であって、
各コモン電極及び各セグメント電極の交差領域に設けられる各ドットに対応したＮ（Ｎは２以上の整数）ビットの表示データを、それぞれＭ（Ｎ＜Ｍ、Ｍは３以上の整数）ビットの階調パラメーターに割り当てる階調パラメーター割当部と、
同時選択される複数のコモン電極の選択期間を分割したサブ選択期間を更に分割した複数の分割期間のうち、前記階調パラメーター割当部によって割り当てられた前記階調パラメーターの少なくとも一部に対応した分割期間を選択するＰＷＭ（Pulse Width Modulation：以下、ＰＷＭ）デコーダーと、
前記ＰＷＭデコーダーによって選択された前記分割期間における、前記階調パラメーターの一部に基づいて選択されたフレームレートコントロール（Frame Rate Control：以下、ＦＲＣ）パターンに基づいてＦＲＣデータを生成するＦＲＣデコーダーと、
前記ＰＷＭデコーダーによって選択された前記分割期間において、前記ＦＲＣデコーダーによって生成された前記ＦＲＣデータに対して所与のＭＬＳ演算を行うＭＬＳデコーダーと、
前記ＭＬＳデコーダーによって行われた前記ＭＬＳ演算結果に対応した駆動電圧を前記複数のセグメント電極に印加する駆動部とを含むことを特徴とする電気光学装置の駆動装置。
【請求項１３】
請求項１２において、
前記複数の分割期間のうち、前記ＰＷＭデコーダーによって選択された第１の分割期間における前記ＦＲＣデータをラッチする第１の出力用データラッチと、
前記複数の分割期間のうち、前記ＰＷＭデコーダーによって選択された第２の分割期間における前記ＦＲＣデータをラッチする第２の出力用データラッチと、
前記第１の出力用データラッチにラッチされた信号又は前記第２の出力用データラッチにラッチされた信号を前記駆動回路に対して出力する出力選択回路とを含むことを特徴とする電気光学装置の駆動装置。
【請求項１４】
請求項１２又は１３記載の駆動装置を含むことを特徴とする電気光学装置。
【請求項１５】
請求項１２又は１３記載の駆動装置を含むことを特徴とする電子機器。
【発明の詳細な説明】
【技術分野】
【０００１】
本発明は、電気光学装置の駆動方法、電気光学装置の駆動装置、電気光学装置及び電子機器等に関する。
【背景技術】
【０００２】
電気光学素子としての液晶素子を採用する液晶表示装置に代表される電気光学装置における階調表示方法として、フレームレートコントロール（Frame Rate Control：以下、ＦＲＣ）方式による階調表示方法やパルス幅変調（Pulse Width Modulation：以下、ＰＷＭ）方式による階調表示方法等が知られている。ここで、ＦＲＣ方式は、複数のフレームのうちフレームを間引くことにより階調表示を行う方式であり、ＰＷＭ方式は、駆動電圧を印加する期間を調整することにより階調表示を行う方式である。
【０００３】
単純マトリックス型の液晶表示装置を同時選択（Multi Line Selection：以下、ＭＬＳ）駆動法で駆動する際に、このＦＲＣ方式又はＰＷＭ方式で階調表示を行うことで、コントラストの良好な画像を表示することができる。例えば特許文献１及び特許文献２には、ＭＬＳ駆動法により液晶駆動する際にＰＷＭ方式で階調表示を行う技術が開示されている。また、特許文献３には、ＭＬＳ駆動法により液晶駆動する際にＦＲＣ方式で階調表示を行う技術が開示されている。更に特許文献４には、ＭＬＳ駆動法により液晶駆動する際にＰＷＭ方式やＦＲＣ方式で階調表示を行う点が開示されている。更にまた特許文献５には、ＭＬＳ駆動法により液晶駆動する際に、ＰＷＭ方式及びＦＲＣ方式を組み合わせて階調表示を行う技術が開示されている。
【先行技術文献】
【特許文献】
【０００４】
【特許文献１】国際公開第００／０２１８５号
【特許文献２】特開２００２−１４９１３１号公報
【特許文献３】特開平９−２１８３８５号公報
【特許文献４】特開平１０−１０４５７５号公報
【特許文献５】特開２００３−８４７３２号公報
【発明の概要】
【発明が解決しようとする課題】
【０００５】
しかしながら、特許文献１〜特許文献４では、ＭＬＳ駆動法により液晶駆動する際に、ＰＷＭ方式又はＦＲＣ方式により階調表示を行う技術のみが開示されているに過ぎない。そのため、特許文献１〜特許文献４に開示されたＰＷＭ方式及びＦＲＣ方式を単純に組み合わせてＭＬＳ駆動法により液晶駆動したとしても、ＰＷＭ方式の設定とＦＲＣ方式の設定との組み合わせが制限され、中間調の濃度設定に制約がある。
【０００６】
また、特許文献５では、例えば４フレームでＦＲＣ方式とＰＷＭ方式とを組み合わせる際に、３フレームをＦＲＣ方式に、残りの１フレームをＰＷＭ方式に割り当てる。同様に、例えば５フレームでＦＲＣ方式とＰＷＭ方式とを組み合わせる際に、４フレームをＦＲＣ方式に、残りの１フレームをＰＷＭ方式に割り当てるが、ＦＲＣ方式に割り当てられる階調は０（＝０／４）、１／４、２／４、３／４、１（＝４／４）だけになり、例えば１／３、２／３のような階調を割り当てることができない。これは、特許文献５に開示された技術では、一連のフレームにおいてＰＷＭ方式に割り当てられるフレームが固定されてしまうため、ＦＲＣ方式においてフレーム数の異なる階調を割り当てることができないからである。そのため、特許文献５では、ＦＲＣ方式で割り当てられる階調数が制限され、中間調の濃度設定に制約を受けてしまうという問題がある。
【０００７】
本発明は、以上のような技術的課題に鑑みてなされたものである。本発明の幾つかの態様によれば、ＰＷＭ方式及びＦＲＣ方式の階調表示を行う際に、中間調の濃度設定の自由度を向上させる電気光学装置の駆動方法、電気光学装置の駆動装置、電気光学装置及び電子機器等を提供することができる。
【課題を解決するための手段】
【０００８】
（１）本発明の一態様は、互いに交差する複数のコモン電極及び複数のセグメント電極を有する電気光学装置を同時選択（Multi Line Selection：以下、ＭＬＳ）駆動法により駆動する電気光学装置の駆動方法が、各コモン電極及び各セグメント電極の交差領域に設けられる各ドットに対応したＮ（Ｎは２以上の整数）ビットの表示データを、それぞれＭ（Ｎ＜Ｍ、Ｍは３以上の整数）ビットの階調パラメーターに割り当てる階調パラメーター割当ステップと、同時選択された複数のコモン電極の選択期間を分割したサブ選択期間を更に分割した複数の分割期間のうち、前記階調パラメーター割当ステップにおいて割り当てられた前記階調パラメーターの少なくとも一部に対応した分割期間において、前記階調パラメーターの一部に基づいて選択されたフレームレートコントロール（Frame Rate Control：以下、ＦＲＣ）パターンが示す表示パターンに対するＭＬＳ演算結果に対応した駆動電圧を前記複数のセグメント電極に印加する駆動ステップとを含む。
【０００９】
本態様においては、１ドット当たりＮビットの表示データをＭビットの階調パラメーターに割り当て、階調パラメーターの少なくとも一部に対応したＰＷＭの分割期間において、該階調パラメーターの一部に基づいて選択されたＦＲＣパターンが示す表示パターンに対するＭＬＳ演算結果に対応した駆動電圧を複数のセグメント電極に印加する。これにより、元の表示データにかかわらず、複数の分割期間の中から適宜選択して、選択した分割期間を用いてＰＷＭが可能となる。そのため、ＦＲＣ方式と組み合わせることで、ＭＬＳ駆動の際に、同一フレーム内でＰＷＭ方式とＦＲＣ方式とを組み合わせて中間調の濃度設定の自由度を向上させることができるようになる。
【００１０】
（２）本発明の他の態様に係る電気光学装置の駆動方法では、前記駆動ステップは、前記複数の分割期間のうち、前記階調パラメーター割当ステップにおいて割り当てられた前記階調パラメーターの一部に対応した第１の分割期間において、前記階調パラメーターの一部に基づいて選択された第１のフレームレートコントロール（Frame Rate Control：以下、ＦＲＣ）パターンが示す表示パターンに対するＭＬＳ演算結果に対応した駆動電圧を前記複数のセグメント電極に印加する第１の分割期間駆動ステップと、前記複数の分割期間のうち、前記階調パラメーター割当ステップにおいて割り当てられた前記階調パラメーターの一部に対応した第２の分割期間において、前記階調パラメーターの一部に基づいて選択された第２のＦＲＣパターンが示す表示パターンに対するＭＬＳ演算結果に対応した駆動電圧を前記複数のセグメント電極に印加する第２の分割期間駆動ステップとを含む。
【００１１】
本態様においては、各サブ選択期間を分割する複数の分割期間のうち、階調パラメーターにより指定される第１の分割期間において、該階調パラメーターにより選択される第１のＦＲＣパターンが示す表示パターンに対するＭＬＳ演算結果に対応する駆動電圧を印加する。また、階調パラメーターにより指定される第２の分割期間において、該階調パラメーターにより選択される第２のＦＲＣパターンが示す表示パターンに対するＭＬＳ演算結果に対応する駆動電圧を印加する。これにより、表示データにかかわらず、ＰＷＭによる任意の分割期間に、任意のＦＲＣパターンを用いて階調表示ができる。
【００１２】
（３）本発明の他の態様に係る電気光学装置の駆動方法は、前記階調パラメーターの上位ビットに基づいて、前記第１の分割期間又は前記第２の分割期間を選択する。
【００１３】
本態様によれば、上記の効果に加えて、階調パラメーターによりＰＷＭの任意の分割期間を選択できるようになる。
【００１４】
（４）本発明の他の態様に係る電気光学装置の駆動方法は、前記階調パラメーターの下位ビットに基づいて選択されたＦＲＣパターンが示す表示パターンに対するＭＬＳ演算結果に対応した駆動電圧を前記複数のセグメント電極に印加する。
【００１５】
本態様によれば、上記の効果に加えて、階調パラメーターにより任意のＦＲＣパターンを容易に選択できるようになる。
【００１６】
（５）本発明の他の態様に係る電気光学装置の駆動方法は、前記階調パラメーターの上位２ビットに基づいて、前記サブ選択期間を２分割した前記第１の分割期間及び前記第２の分割期間のいずれかを選択する。
【００１７】
本態様によれば、サブ選択期間を２分割する簡素なＰＷＭによる階調表示を行う際に、階調パラメーターによりＰＷＭの任意の分割期間を選択できるようになる。
【００１８】
（６）本発明の他の態様に係る電気光学装置の駆動方法は、前記サブ選択期間内に、前記第１の分割期間及び前記第２の分割期間の順序が切り替え可能である。
【００１９】
本態様によれば、上記の効果に加えて、容易にランダム化が可能となり、階調表示の表示品位を向上させることができるようになる。
【００２０】
（７）本発明の他の態様に係る電気光学装置の駆動方法では、セグメント出力毎に、前記サブ選択期間内における前記第１の分割期間及び前記第２の分割期間の順序が反対となるように設定される。
【００２１】
本態様によれば、上記の効果に加えて、容易にランダム化が可能となり、階調表示の表示品位を向上させることができるようになる。
【００２２】
（８）本発明の他の態様に係る電気光学装置の駆動方法は、所定の期間毎に、前記第１の分割期間及び前記第２の分割期間の順序を変更する。
【００２３】
本態様によれば、上記の効果に加えて、容易にランダム化が可能となり、階調表示の表示品位を向上させることができるようになる。
【００２４】
（９）本発明の他の態様は、互いに交差する複数のコモン電極及び複数のセグメント電極を有する電気光学装置を同時選択（Multi Line Selection：以下、ＭＬＳ）駆動法により駆動する電気光学装置の駆動方法が、各コモン電極及び各セグメント電極の交差領域に設けられる各ドットに対応したＮ（Ｎは２以上の整数）ビットの表示データを、それぞれＭ（Ｎ＜Ｍ、Ｍは３以上の整数）ビットの階調パラメーターに割り当てる階調パラメーター割当ステップと、同時選択される複数のコモン電極の選択期間を分割したサブ選択期間において、前記階調パラメーターの少なくとも一部に基づいてパルス幅変調法（Pulse Width Modulation：以下、ＰＷＭ）及びフレームレートコントロール（Frame Rate Control：以下、ＦＲＣ）により階調処理を行った信号に対するＭＬＳ演算結果に対応した駆動電圧を前記複数のセグメント電極に印加する駆動ステップとを含む。
【００２５】
本態様においては、１ドット当たりＮビットの表示データをＭビットの階調パラメーターに割り当て、階調パラメーターの少なくとも一部に対応したＰＷＭの分割期間において、該階調パラメーターの一部に基づいて選択されたＦＲＣパターンが示す表示パターンに対するＭＬＳ演算結果に対応した駆動電圧を複数のセグメント電極に印加する。これにより、元の表示データにかかわらず、複数の分割期間の中から適宜選択して、選択した分割期間を用いてＰＷＭが可能となる。そのため、ＦＲＣ方式と組み合わせることで、ＭＬＳ駆動の際に、同一フレーム内でＰＷＭ方式とＦＲＣ方式とを組み合わせて中間調の濃度設定の自由度を向上させることができるようになる。
【００２６】
（１０）本発明の他の態様に係る電気光学装置の駆動方法では、前記駆動ステップは、前記サブ選択期間を分割した複数の分割期間のうち、前記階調パラメーター割当ステップにおいて割り当てられた前記階調パラメーターの少なくとも一部に対応した分割期間を選択するＰＷＭデコードステップと、前記階調パラメーターの一部に基づいて選択されたＦＲＣパターンに基づいて、ＦＲＣデータを生成するＦＲＣデコードステップと、前記ＰＷＭデコードステップにおいて選択された前記分割期間において、前記ＦＲＣデコードステップにおいて生成された前記ＦＲＣデータに対して所与のＭＬＳ演算を行うＭＬＳデコードステップとを含み、前記ＭＬＳデコードステップにおける前記ＭＬＳ演算結果に対応した駆動電圧を前記複数のセグメント電極に印加する。
【００２７】
本態様によれば、階調パラメーターに割り当てた後、ＰＷＭデコード、ＦＲＣデコード及びＭＬＳデコードを順番に行うようにしたので、ＭＬＳ駆動の際に、簡素な処理で、同一フレーム内でＰＷＭ方式とＦＲＣ方式とを組み合わせることができるようになる。その結果、中間調の濃度設定の自由度を向上させることができるようになる。
【００２８】
（１１）本発明の他の態様に係る電気光学装置の駆動方法では、前記電気光学装置は、液晶表示装置である。
【００２９】
本態様によれば、同一フレーム内でＰＷＭ方式及びＦＲＣ方式の階調表示を行うことで、中間調の濃度設定の自由度を向上させる液晶表示装置の駆動方法を提供できるようになる。
【００３０】
（１２）本発明の他の態様は、互いに交差する複数のコモン電極及び複数のセグメント電極を有する電気光学装置を同時選択（Multi Line Selection：以下、ＭＬＳ）駆動法により駆動する電気光学装置の駆動装置が、各コモン電極及び各セグメント電極の交差領域に設けられる各ドットに対応したＮ（Ｎは２以上の整数）ビットの表示データを、それぞれＭ（Ｎ＜Ｍ、Ｍは３以上の整数）ビットの階調パラメーターに割り当てる階調パラメーター割当部と、同時選択される複数のコモン電極の選択期間を分割したサブ選択期間を更に分割した複数の分割期間のうち、前記階調パラメーター割当部によって割り当てられた前記階調パラメーターの少なくとも一部に対応した分割期間を選択するＰＷＭ（Pulse Width Modulation：以下、ＰＷＭ）デコーダーと、前記ＰＷＭデコーダーによって選択された前記分割期間における、前記階調パラメーターの一部に基づいて選択されたフレームレートコントロール（Frame Rate Control：以下、ＦＲＣ）パターンに基づいてＦＲＣデータを生成するＦＲＣデコーダーと、前記ＰＷＭデコーダーによって選択された前記分割期間において、前記ＦＲＣデコーダーによって生成された前記ＦＲＣデータに対して所与のＭＬＳ演算を行うＭＬＳデコーダーと、前記ＭＬＳデコーダーによって行われた前記ＭＬＳ演算結果に対応した駆動電圧を前記複数のセグメント電極に印加する駆動部とを含む。
【００３１】
本態様によれば、１ドット当たりＮビットの表示データをＭビットの階調パラメーターに割り当て、階調パラメーターの少なくとも一部に対応した分割期間において、該階調パラメーターの一部に基づいて選択されたＦＲＣパターンが示す表示パターンに対するＭＬＳ演算結果に対応した駆動電圧を複数のセグメント電極に印加するようにしたので、元の表示データにかかわらず、複数の分割期間の中から適宜選択して、選択した分割期間を用いてＰＷＭが可能となる。そのため、ＦＲＣ方式と組み合わせることで、ＭＬＳ駆動の際に、同一フレーム内でＰＷＭ方式とＦＲＣ方式とを組み合わせて中間調の濃度設定の自由度を向上させることができる電気光学装置の駆動装置を提供できるようになる。
【００３２】
（１３）本発明の他の態様に係る電気光学装置の駆動装置は、前記複数の分割期間のうち、前記ＰＷＭデコーダーによって選択された第１の分割期間における前記ＦＲＣデータをラッチする第１の出力用データラッチと、前記複数の分割期間のうち、前記ＰＷＭデコーダーによって選択された第２の分割期間における前記ＦＲＣデータをラッチする第２の出力用データラッチと、前記第１の出力用データラッチにラッチされた信号又は前記第２の出力用データラッチにラッチされた信号を前記駆動回路に対して出力する出力選択回路とを含む。
【００３３】
本態様によれば、上記の効果に加えて、簡素な構成で、容易にランダム化が可能となり、階調表示の表示品位を向上させる電気光学装置の駆動装置を提供できるようになる。
【００３４】
（１４）本発明の他の態様は、電気光学装置が、上記記載の駆動装置を含む。
【００３５】
本態様によれば、同一フレーム内でＰＷＭ方式及びＦＲＣ方式の階調表示を行うことで、中間調の濃度設定の自由度を向上させる駆動装置が適用された電気光学装置を提供できるようになる。
【００３６】
（１５）本発明の他の態様は、電子機器が、上記記載の駆動装置を含む。
【００３７】
本態様によれば、同一フレーム内でＰＷＭ方式及びＦＲＣ方式の階調表示を行うことで、中間調の濃度設定の自由度を向上させる駆動装置が適用された電子機器を提供できるようになる。
【図面の簡単な説明】
【００３８】
【図１】本発明の一実施形態に係る電気光学装置が適用された電子機器の構成例のブロック図。
【図２】ＭＬＳ駆動法の原理の説明図。
【図３】４ライン同時選択のＭＬＳ駆動法により液晶表示パネルを駆動する場合の７レベルの電圧の関係を示す図。
【図４】４ライン同時選択のＭＬＳ駆動法を行う場合の選択パターンの一例を示す図。
【図５】液晶駆動装置における階調表示方法のフローの一例を示す図。
【図６】本実施形態における液晶駆動装置による液晶駆動方法の説明図。
【図７】本実施形態における表示データの一例を示す図。
【図８】図８（Ａ）、図８（Ｂ）、図８（Ｃ）、図８（Ｄ）は表示データに対応したＰＷＭデータの説明図。
【図９】図９（Ａ）、図９（Ｂ）はセグメント出力の偶数端子と奇数端子のＰＷＭデータの説明図。
【図１０】図１０（Ａ）、図１０（Ｂ）は５フレーム目におけるＰＷＭデータの例を示す図。
【図１１】図１１（Ａ）、図１１（Ｂ）は本実施形態におけるＦＲＣパターンの一例を示す図。
【図１２】図１２（Ａ）、図１２（Ｂ）は表示データに基づいて選択されたＦＲＣパターンに対応したＦＲＣデータの一例を示す図。
【図１３】図１３（Ａ）、図１３（Ｂ）は５フレーム目におけるＦＲＣデータの例を示す図。
【図１４】ＭＬＳデコードの処理例の説明図。
【図１５】図１５（Ａ）、図１５（Ｂ）は５フレーム目におけるセグメント出力の偶数端子のＭＬＳデコードの処理結果の一例を示す図。
【図１６】図１６（Ａ）、図１６（Ｂ）は５フレーム目におけるセグメント出力の奇数端子のＭＬＳデコードの処理結果の一例を示す図。
【図１７】本実施形態における液晶駆動装置の構成例のブロック図。
【図１８】図１７の設定レジスターの構成の概要を示す図。
【図１９】図１８のＰＷＭ設定レジスターの説明図。
【図２０】図１８の第１の階調レベル設定レジスターの説明図。
【図２１】図１７の液晶駆動装置の構成要部のブロック図の一例を示す図。
【図２２】図２１の階調処理回路の構成例のブロック図。
【図２３】本実施形態の効果の説明図。
【図２４】第１の変形例における液晶駆動装置の構成要部のブロック図の一例を示す図。
【図２５】図２４の階調処理回路の構成例のブロック図。
【図２６】第２の変形例における電子機器の構成例のブロック図。
【発明を実施するための形態】
【００３９】
以下、本発明の実施の形態について図面を用いて詳細に説明する。なお、以下に説明する実施の形態は、特許請求の範囲に記載された本発明の内容を不当に限定するものではない。また以下で説明される構成のすべてが本発明の課題を解決するために必須の構成要件であるとは限らない。
【００４０】
１．  電子機器
図１に、本発明の一実施形態に係る電気光学装置が適用された電子機器の構成例のブロック図を示す。
【００４１】
電子機器１０は、液晶表示パネル（広義には、電気光学装置）２０、ホストプロセッサー３０、電源回路４０、液晶駆動装置１００を含む。液晶表示パネル２０は、単純マトリックス型の表示パネルである。この液晶表示パネル２０は、一対の透明なガラス基板の間に、透明電極で形成され互いに交差するように配置された複数のコモン電極ＣＯＭ０〜ＣＯＭｎ（ｎは正の整数）、複数のセグメント電極ＳＥＧ０〜ＳＥＧｍ（ｍは正の整数）、配向膜及び液晶等を封入して形成される。液晶表示パネル２０においては、コモン電極及びセグメント電極の交差領域に対応してドットが形成される。例えばコモン電極ＣＯＭｊ（０≦ｊ≦ｎ、ｊは整数）及びセグメント電極ＳＥＧｋ（０≦ｋ≦ｍ、ｋは整数）の交差領域に対応してドットＰｊｋが形成される。
【００４２】
液晶駆動装置１００は、液晶表示パネル２０のコモン電極及びセグメント電極と電気的に接続される。この液晶駆動装置１００は、ＭＬＳ駆動法により液晶表示パネル２０を駆動できるように構成されている。即ち、液晶駆動装置１００は、液晶表示パネル２０の複数のコモン電極を同時選択し、１画面を表示するのに必要な期間としての１フレーム期間を分割した複数のフィールド期間で、複数回に亘って駆動する。同時選択された複数のコモン電極は、各フィールド期間を更に分割した複数のサブ選択期間のいずれかで駆動される。液晶駆動装置１００は、サブ選択期間毎に、同時選択した複数のコモン電極を選択パターン（走査パターン）に基づいて駆動すると共に、該選択パターン及び表示データに基づく所与のＭＬＳ演算結果に対応した駆動電圧を複数のセグメント電極に印加する。
【００４３】
ホストプロセッサー３０は、内蔵するメモリー又は図示しないメモリーに記憶されたプログラムを読み込んで、該プログラムに対応した処理を実行することで、液晶駆動装置１００の駆動制御を行う。このため、ホストプロセッサー３０は、液晶駆動装置１００が内蔵する設定レジスターに制御データを設定することで、液晶駆動装置１００の動作を制御する。また、ホストプロセッサー３０は、液晶駆動装置１００に、液晶表示パネル２０に表示させる画像に対応した表示データを供給する。
【００４４】
電源回路４０は、ホストプロセッサー３０及び液晶駆動装置１００の各々に、動作電源電圧及び液晶表示パネル２０の駆動電源電圧、或いはこれらの電圧を生成するための基準電圧を供給する。
【００４５】
図１に示す構成を有する電子機器１０としては、携帯電話機、パーソナルコンピューター、情報携帯端末（ＰＤＡ：Personal Digital Assistants）、デジタルスチルカメラ、テレビ、ビデオカメラ、カーナビゲーション装置、車載用の電子機器、ページャー、電子手帳、電子ペーパー、電卓、ワードプロセッサー、ワークステーション、テレビ電話、ＰＯＳ（Point of sale system）端末、プリンター、スキャナー、複写機、ビデオプレーヤー、タッチパネルを備えた機器等が挙げられる。
【００４６】
２．  液晶駆動方法
液晶駆動装置１００は、ＭＬＳ駆動により液晶表示パネル２０を駆動する。ＭＬＳ駆動は、いわゆる線順次駆動法と比較して、コモン電極が選択される期間の間隔を狭めることができ、液晶表示パネル２０の透過率の低下を抑えると共に、平均の透過率を向上させることができる。また、複数のコモン電極を同時に選択することで、コモン電極に印加する駆動電圧（選択電圧）を低くすることができる。
【００４７】
図２に、ＭＬＳ駆動法の原理の説明図を示す。図２（Ａ）〜図２（Ｄ）の各々は、コモン電極ＣＯＭ０、ＣＯＭ１とセグメント電極ＳＥＧ０とが交差する位置の画素（ドット）についてオン又はオフする例を表す。なお、図２では２ラインのコモン電極ＣＯＭ０、ＣＯＭ１が同時選択され、２ライン同時選択のＭＬＳ駆動法の例を表す。
【００４８】
図２において、オンとなる画素（オン画素）を「−１」、オフとなる画素（オフ画素）を「＋１」と表し、このオン又はオフを示す表示データにより指定される。また、コモン電極ＣＯＭ０、ＣＯＭ１の各々を選択するための選択パターンを「＋１」、「−１」の２値で表す。更にセグメント電極ＳＥＧ０の駆動電圧は、「ＭＶ２」、「Ｖ２」、「Ｖ１」の３値である。
【００４９】
ＭＬＳ駆動法においては、セグメント電極ＳＥＧ０の駆動電圧は、表示データと同時選択されるコモン電極ＣＯＭ０、ＣＯＭ１の選択パターンとにより決まる。ここで、表示データを表示データベクトルｄ、選択パターンを行列βとすると、セグメント電極ＳＥＧ０の駆動電圧を「ＭＶ２」、「Ｖ２」、「Ｖ１」のいずれの電圧とするかは、表示データベクトルｄと行列βとの積により決定される。ここで、表示データベクトルｄは、セグメント電極ＳＥＧ０が各コモン電極と交差する位置の画素のオン又はオフを示すデータをベクトルで表現したものである。図２（Ａ）の場合にはｄ・β＝−２となり、図２（Ｂ）の場合にはｄ・β＝＋２となり、図２（Ｃ）の場合にはｄ・β＝＋２となり、図２（Ｄ）の場合にはｄ・β＝０となる。
【００５０】
そして表示データベクトルｄと行列βとの積が「−２」のときセグメント電極ＳＥＧ０の駆動電圧として「ＭＶ２」が選択され、「＋２」のときに「Ｖ２」が選択され、「０」のときに「Ｖ１」が選択される。
【００５１】
例えば、表示データベクトルｄと行列βとの積の演算をハードウェアで行う場合には、表示データベクトルｄの各要素データと行列βの各要素データとの不一致数を判定するようにすればよい。例えば不一致数が「２」の場合には、セグメント電極ＳＥＧ０の駆動電圧として「ＭＶ２」を選択する。また不一致数が「０」の場合には、該駆動電圧として「Ｖ２」を選択する。また不一致数が「１」の場合には、該駆動電圧として「Ｖ１」を選択する。
【００５２】
２ライン同時選択のＭＬＳ駆動法では、上述のようにしてセグメント電極ＳＥＧ０の駆動電圧を決定し、１フレーム期間内で２回のフィールド期間を設けることによって、画素のオン又はオフを制御する。フィールド期間を複数回設けているため、非フィールド期間における透過率の低下が少なくなり、液晶パネルの平均の透過率を向上させ、液晶パネルのコントラストを向上させることができる。本実施形態では、４ラインのコモン電極を同時に選択するＭＬＳ駆動法を行うものとする。この場合、１フレーム期間内に４回のフィールド期間を設けることができ、液晶表示パネル２０のコントラストをより一層向上させることができる。この４ライン同時選択のＭＬＳ駆動法では、７レベルの電圧が用いられる。
【００５３】
図３に、４ライン同時選択のＭＬＳ駆動法により液晶表示パネル２０を駆動する場合の７レベルの電圧の関係を示す。
【００５４】
電圧Ｖ３、ＭＶ３は、コモン電極の選択電圧である。電圧ＶＣは、コモン電極の非選択電圧であり、セグメント電極の駆動電圧である。電圧Ｖ２、Ｖ１、ＭＶ１、ＭＶ２は、セグメント電極の駆動電圧である。交差するコモン電極及びセグメント電極の電圧差に応じて、画素の透過率が変化する。
【００５５】
ここで、電圧Ｖ３とセンター電圧ＶＣとの電圧差をｖ３、電圧Ｖ２とセンター電圧ＶＣとの電圧差をｖ２、電圧Ｖ１とセンター電圧ＶＣとの電圧差をｖ１とする。このとき、センター電圧ＶＣと電圧ＭＶ３との電圧差はｖ３、センター電圧ＶＣと電圧ＭＶ２との電圧差はｖ２、センター電圧ＶＣと電圧ＭＶ１との電圧差はｖ１である。ここで、電圧Ｖ２と電圧Ｖ１との電圧差（＝電圧ＭＶ１と電圧ＭＶ２との電圧差）が、電圧Ｖ１とセンター電圧ＶＣとの電圧差（＝センター電圧ＶＣと電圧ＭＶ１との電圧差）と等しい。
【００５６】
図４に、４ライン同時選択のＭＬＳ駆動法を行う場合の選択パターンの一例を示す。なお、図４は、後述する液晶交流化信号ＦＲがＬレベルのときの選択パターンの一例を表すが、液晶交流化信号がＨレベルのときも、フィールド期間毎に、各コモン電極に印加される電圧に対応した選択パターンが設けられる。
【００５７】
ＭＬＳ駆動法において１フレーム期間内に設けられる各フィールド期間は、液晶駆動装置１００においてフィールド信号Ｆ１、Ｆ２により特定される。液晶駆動装置１００は、図４に示す２ビットのフィールド信号Ｆ１、Ｆ２で表される４状態に対応したフィールド期間毎に、各コモン電極に電圧Ｖ３又は電圧ＭＶ３を出力する。図４に示す各フィールド期間における各コモン電極への出力パターンは、選択パターン（走査パターン）として直交関数系により定義される。液晶駆動装置１００は、予め決められた直交関数系により定義される選択パターンに従って、３種類の駆動電圧Ｖ３、ＶＣ、ＭＶ３のいずれかを適宜選択し、同時選択されるコモン電極にそれぞれ印加するようになっている。
【００５８】
各フィールド期間は、同時選択される複数のコモン電極毎に割り当てられる複数のサブ選択期間に分割される。第１のフィールド期間（１ｆ）を分割した複数のサブ選択期間のうち、同時選択されるコモン電極ＣＯＭ０〜ＣＯＭ３が選択されるサブ選択期間では、次のような動作が行われる。液晶駆動装置１００は、セグメント電極ＳＥＧ０と同時選択されるコモン電極ＣＯＭ０〜ＣＯＭ３の各々との交差位置に対応した各ドットの表示パターンと選択パターンとの極性の不一致数に応じて、セグメント電極ＳＥＧ０に出力する電圧（Ｖ２、Ｖ１、ＶＣ、ＭＶ１、ＭＶ２）のいずれかを選択し、セグメント電極ＳＥＧ０に選択した電圧を印加する。同様に、他のセグメント電極に対して、選択した電圧を印加する。
【００５９】
次に、第１のフィールド期間を分割した複数のサブ選択期間のうち、同時選択されるコモン電極ＣＯＭ４〜ＣＯＭ７が選択されるサブ選択期間において、各セグメント電極の列の不一致数を決定し、得られた電圧のデータを印加する。こうしてすべてのコモン電極について、以上の手順を繰り返すと、第１のフィールド期間における動作が終了する。
【００６０】
同様に２番目以降のフィールド期間についても、すべてのコモン電極について上記の手順を繰り返すと１つのフレーム期間が終わり、これにより１つの画面の表示が行われる。
【００６１】
３．  階調表示方法
液晶駆動装置１００は、上記のＭＬＳ駆動法により液晶駆動する際に、各選択期間においてＰＷＭ方式及びＦＲＣ方式の階調表示を行う。ＰＷＭ方式では、各サブ選択期間を複数の分割期間に分割し、各分割期間における駆動電圧を調整することでＰＷＭによる階調表示を実現する。ＦＲＣ方式では、複数のフレームに亘ってドットのオンやオフを切り替えることでＦＲＣによる階調表示を実現する。このとき、以下のように表示データを処理することで、ＰＷＭ方式の設定とＦＲＣ方式の設定の組み合わせの自由度を上げ、中間調の濃度設定の自由度を上げることができる。
【００６２】
図５に、液晶駆動装置１００における階調表示方法のフローの一例を示す。
【００６３】
まず、液晶駆動装置１００は、階調パラメーター割当ステップとして、１ドット当たりＮ（Ｎは２以上の整数）ビットの表示データをＭ（Ｎ＜Ｍ、Ｍは整数）ビットの階調パラメーターに割り当てる（ステップＳ１０）。次に、液晶駆動装置１００は、ＰＷＭデコードステップとして、ステップＳ１０において割り当てられた階調パラメーターに対してＰＷＭデコードを行い（ステップＳ１２）、各サブ選択期間を分割した複数の分割期間のいずれかを決定する。そして、液晶駆動装置１００は、ＦＲＣデコードステップとして、階調パラメーターに対してＦＲＣデコードを行い（ステップＳ１４）、一連のフレームにおいて当該フレームにおけるドットのオン又はオフを決定する。更に、液晶駆動装置１００は、ＭＬＳデコードステップとして、ステップＳ１４において行われたＦＲＣデコード結果であるＦＲＣパターンが示す表示パターン（オン又はオフを示す信号）に対してＭＬＳデコードを行い（ステップＳ１６）、上記のように同時選択されるコモン電極の選択パターンに対応した各セグメント電極の駆動電圧を決定する。最後に、液晶駆動装置１００は、駆動ステップとして、ステップＳ１６におけるＭＬＳデコード結果に基づいて液晶表示パネル２０を駆動し（ステップＳ１８）、同時選択されるコモン電極の選択パターンに対応した電圧をコモン電極に印加すると共に、ステップＳ１６で決定された駆動電圧を各セグメント電極に印加する。
【００６４】
ここで、サブ選択期間を第１の分割期間及び第２の分割期間に分割すると、ステップＳ１０において割り当てられた階調パラメーターの一部に基づいて、第１の分割期間又は第２の分割期間が選択される。そして、ステップＳ１８の駆動ステップは、第１の分割期間駆動ステップと、第２の分割期間駆動ステップとを含むことができる。第１の分割期間駆動ステップでは、ステップＳ１０において割り当てられた階調パラメーターの一部に対応した第１の分割期間において、階調パラメーターの一部に基づいて選択された第１のＦＲＣパターンが示す表示パターンに対するＭＬＳ演算結果に対応した駆動電圧を複数のセグメント電極に印加する。第２の分割期間駆動ステップでは、ステップＳ１０において割り当てられた階調パラメーターの一部に対応した第２の分割期間において、階調パラメーターの一部に基づいて選択された第２のＦＲＣパターンが示す表示パターンに対するＭＬＳ演算結果に対応した駆動電圧を複数のセグメント電極に印加する。
【００６５】
即ち、ステップＳ１０において、階調パラメーターの少なくとも一部のビット列をＰＷＭの制御用パラメーターとし、階調パラメーターの他の少なくとも一部のビット列をＦＲＣの制御用パラメーターとすることができる。この結果、ステップＳ１２において、元の表示データにかかわらず、複数の分割期間の中から適宜選択して、選択した分割期間を用いてＰＷＭが可能となる。そのため、ＦＲＣ方式と組み合わせることで、ステップＳ１８における駆動ステップにより細かい階調表現が可能となる。
【００６６】
図６に、本実施形態における液晶駆動装置１００による液晶駆動方法の説明図を示す。図６は、同一セグメント電極における駆動動作を模式的に表す。
【００６７】
本実施形態では、ＭＬＳ駆動法によって、１フレーム期間を構成する複数のフィールド期間を用いて複数回に亘って駆動される。各フィールド期間は、同時選択される複数のコモン電極群毎に分割された複数のサブ選択期間を有し、各サブ選択期間において、同時選択されたコモン電極の選択パターンに対応した駆動電圧が複数のセグメント電極に印加される。即ち、同時選択される複数のコモン電極の選択期間が、各フィールド期間内のサブ選択期間に分割される。このとき、ＰＷＭによって各サブ選択期間が複数の分割期間に分割され、各分割期間においてＰＷＭデコード結果及びＦＲＣデコード結果に基づくＭＬＳデコード結果に対応した駆動電圧が各セグメント電極に印加される。
【００６８】
以下では、ＰＷＭによって２分割され、各サブ選択期間が第１の分割期間（例えば幅狭期間）及び第２の分割期間（例えば幅広期間）に分割されるものとするが、本実施形態はサブ選択期間の分割数に限定されるものではない。
【００６９】
また、本実施形態では、図６に示すように、例えばコモン電極ＣＯＭ０〜ＣＯＭ３に対応したサブ選択期間において第１の分割期間後に第２の分割期間が開始されると、コモン電極ＣＯＭ０〜ＣＯＭ３に対応した次のサブ選択期間においては第２の分割期間後に第１の分割期間が開始されるランダム化が行われる。これによって、中間調の階調表示の表示品位の劣化を防止できるようになる。
【００７０】
以下では、本実施形態における階調表示方法の原理について説明する。ここで、説明を簡単にするために、１ドット当たり２ビットの表示データとして４階調（階調レベル（０，０）、階調レベル（０，１）、階調レベル（１，０）、階調レベル（１，１））の階調表示を行うものとする。
【００７１】
また、本実施形態におけるＰＷＭでは、１６個の内部パルスを用いて定義されるサブ選択期間が、幅が狭い幅狭期間と幅が広い幅広期間とに２分割され、中間調の階調レベル（０，１）、（１，０）の各々の濃度設定を幅狭期間又は幅広期間に割り当てることができる。更に、本実施形態では、中間調の階調レベルの濃度設定をＦＲＣの任意の階調レベルに割り当てることができる。以下では、中間調の階調レベル（０，１）の濃度設定をＦＲＣの階調レベル１／４に割り当て、中間調の階調レベル（１，０）の濃度設定をＦＲＣの階調レベル１／３に割り当てるものとする。
【００７２】
このように、中間調の階調レベルを、ＰＷＭの任意の分割期間（幅広期間、幅狭期間）に割り当てたり、ＦＲＣの任意の階調レベルに割り当てたりすることで、ＰＷＭ方式の設定とＦＲＣ方式の設定の組み合わせの自由度を上げ、中間調の濃度設定の自由度を上げることができる。そこで、各ドット当たりＮビットの表示データをＭビットの階調パラメーターに割り当てることで、割り当て後の階調パラメーターにより、ＰＷＭの分割期間及びＦＲＣの階調レベルを指定できるようになる。
【００７３】
まず、次のような４階調の表示データに基づく階調表示方法について説明する。
【００７４】
図７に、本実施形態における表示データの一例を示す。
【００７５】
図７において、同時選択されるコモン電極ＣＯＭ０〜ＣＯＭ３と例えばセグメント電極ＳＥＧ０の交差領域に設けられるドットが表示データＤ０〜Ｄ７で表されるものとする。表示データ（Ｄ１，Ｄ０）は（０，０）であり、コモン電極ＣＯＭ０とセグメント電極ＳＥＧ０との交差領域に設けられるドットがオフ（０％）であるものとする。表示データ（Ｄ３，Ｄ２）は（０，１）であり、コモン電極ＣＯＭ１とセグメント電極ＳＥＧ０との交差領域に設けられるドットが薄い中間調であるものとする。表示データ（Ｄ５，Ｄ４）は（１，０）であり、コモン電極ＣＯＭ２とセグメント電極ＳＥＧ０との交差領域に設けられるドットが濃い中間調であるものとする。表示データ（Ｄ７，Ｄ６）は（１，１）であり、コモン電極ＣＯＭ３とセグメント電極ＳＥＧ０との交差領域に設けられるドットがオン（１００％）であるものとする。
【００７６】
なお、以下では、同時選択されるコモン電極ＣＯＭ０〜ＣＯＭ３と例えばセグメント電極ＳＥＧ１の交差領域に設けられるドットが表示データも、適宜、図７と同様であるものとして説明する。図７の表示データは、ＰＷＭデコードによって次のようなＰＷＭデータに変換される。
３．１  ＰＷＭデコード
【００７７】
図８（Ａ）、図８（Ｂ）、図８（Ｃ）、図８（Ｄ）に、表示データに対応したＰＷＭデータの説明図を示す。図８（Ａ）は、階調レベル（０，１）の濃度設定を、３個のパルス分の期間（幅狭期間＝３／１６）、階調レベル（１，０）の濃度設定を、１３個のパルス分の期間（幅広期間＝１３／１６）に割り当てた例を表す。図８（Ｂ）は、階調レベル（０，１）の濃度設定を、１３個のパルス分の期間（幅広期間＝１３／１６）、階調レベル（１，０）の濃度設定を、３個のパルス分の期間（幅狭期間＝３／１６）に割り当てた例を表す。図８（Ｃ）は、階調レベル（０，１）の濃度設定を、１２個のパルス分の期間（幅広期間＝１２／１６）、階調レベル（１，０）の濃度設定を、１２個のパルス分の期間（幅広期間＝１２／１６）に割り当てた例を表す。図８（Ｄ）は、階調レベル（０，１）の濃度設定を、６個のパルス分の期間（幅狭期間＝６／１６）、階調レベル（１，０）の濃度設定を、６個のパルス分の期間（幅狭期間＝６／１６）に割り当てた例を表す。
【００７８】
図８（Ａ）の設定例では、表示データが（０，０）のとき、分割期間にかかわらずＰＷＭデータは「０」のままである。同様に、表示データが（１，１）のとき、分割期間にかかわらずＰＷＭデータは「１」のままである。これに対して、表示データが（０，１）のとき、割り当てられた幅狭期間が「１」となり、幅広期間は「０」となる。同様に、表示データが（１，０）のとき、割り当てられた幅広期間が「１」となり、幅狭期間は「０」となる。そして、この幅狭期間と幅広期間とが、１水平走査期間（広義には、所定の期間）毎に前後に入れ替わる。
【００７９】
同様に、図８（Ｂ）の設定例では、表示データが（０，０）のとき、分割期間にかかわらずＰＷＭデータは「０」のままである。また、表示データが（１，１）のとき、分割期間にかかわらずＰＷＭデータは「１」のままである。これに対して、表示データが（０，１）のとき、割り当てられた幅広期間が「１」となり、幅狭期間は「０」となる。同様に、表示データが（１，０）のとき、割り当てられた幅狭期間が「１」となり、幅広期間は「０」となる。そして、この幅狭期間と幅広期間とが、１水平走査期間毎に前後に入れ替わる。
【００８０】
図８（Ｃ）、図８（Ｄ）の設定例においても、表示データが（０，０）のとき、分割期間にかかわらずＰＷＭデータは「０」のままであり、表示データが（１，１）のとき、分割期間にかかわらずＰＷＭデータは「１」のままである。これに対して、図８（Ｃ）では、表示データが（０，１）のとき、割り当てられた幅広期間が「１」となり、幅狭期間は「０」となる。同様に、表示データが（１，０）のとき、割り当てられた幅広期間が「１」となり、幅狭期間は「０」となる。また図８（Ｄ）では、表示データ（０，１）のとき、割り当てられた幅狭期間が「１」となり、幅広期間は「０」となる。同様に、表示データが（１，０）のとき、割り当てられた幅狭期間が「１」となり、幅広期間は「０」となる。そして、図８（Ｃ）、図８（Ｄ）においても、幅狭期間と幅広期間とが、１水平走査期間毎に前後に入れ替わる。
【００８１】
なお、図８（Ａ）〜図８（Ｄ）において、幅狭期間と幅広期間との切り替えタイミングは、１水平走査期間の他に、複数の水平走査期間毎や、１又は複数のフレーム期間毎、或いは１又は複数のサブ選択期間毎に設けられていてもよい。
【００８２】
続いて、セグメント出力が所定の期間（例えば１又は複数のフレーム期間）毎に幅狭期間と幅広期間とが前後に入れ替わり、且つ、セグメント出力の偶数端子（例えばセグメント電極ＳＥＧ０）と奇数端子（例えばセグメント電極ＳＥＧ１）とで、幅狭期間と幅広期間とが交互に前後するようにＰＷＭデータが生成される。即ち、セグメント出力毎に、サブ選択期間内における幅狭期間及び幅広期間の順序が反対となるように設定される。
【００８３】
図９（Ａ）、図９（Ｂ）に、セグメント出力の偶数端子と奇数端子のＰＷＭデータの説明図を示す。図９（Ａ）は、セグメント出力の偶数端子のＰＷＭデータの概要を表す。図９（Ｂ）は、セグメント出力の奇数端子のＰＷＭデータの概要を表す。
【００８４】
図９（Ａ）に示すように、セグメント出力の偶数端子では、１フレーム期間毎に、幅狭期間と幅狭期間とが前後に入れ替わるようにＰＷＭデータが生成される。更に、セグメント出力の偶数端子が幅狭期間のときセグメント出力の奇数端子が幅広期間となり、セグメント出力の偶数端子が幅広期間のときセグメント出力の奇数端子が幅狭期間となるように、ランダム化が行われる。
【００８５】
同様に、図９（Ｂ）に示すように、セグメント出力の奇数端子においても、１フレーム期間毎に、幅狭期間と幅狭期間とが前後に入れ替わるようにＰＷＭデータが生成される。更に、セグメント出力の奇数端子が幅狭期間のときセグメント出力の偶数端子が幅広期間となり、セグメント出力の奇数端子が幅広期間のときセグメント出力の偶数端子が幅狭期間となるように、ランダム化が行われる。
【００８６】
図１０（Ａ）、図１０（Ｂ）に、５フレーム目におけるＰＷＭデータの例を示す。図１０（Ａ）、図１０（Ｂ）において、階調レベル（０，１）の濃度設定を、３個のパルス分の期間（幅狭期間＝３／１６）、階調レベル（１，０）の濃度設定を、１３個のパルス分の期間（幅広期間＝１３／１６）に割り当てた例を表す。図１０（Ａ）は、セグメント出力の偶数端子のＰＷＭデータの一例を表し、図１０（Ｂ）は、セグメント出力の奇数端子のＰＷＭデータの一例を表す。
【００８７】
図８（Ａ）、図９（Ａ）及び図９（Ｂ）から、図１０（Ａ）、図１０（Ｂ）のように、液晶への印加電圧の極性を切り替える液晶交流化信号ＦＲ、フィールド信号Ｆ１、Ｆ２、表示データ、各フィールドにおける分割期間のＰＷＭデータが示される。
【００８８】
３．２  ＦＲＣデコード
上記のように表示データに対してＰＷＭデコードが行われて分割期間が選択されると、ＦＲＣデコードが行われる。ＦＲＣデコードは、表示データに基づいて生成されたＰＷＭデータに対応したＦＲＣパターンが示す表示パターンによりフレーム毎にオン又はオフを指定する信号を生成する処理である。
【００８９】
図１１（Ａ）、図１１（Ｂ）に、本実施形態におけるＦＲＣパターンの一例を示す。図１１（Ａ）は、ＦＲＣの階調レベル１／４のＦＲＣパターンの一例を表す。図１１（Ｂ）は、ＦＲＣの階調レベル１／３のＦＲＣパターンの一例を表す。図１１（Ａ）のＦＲＣパターンにおいて、１フレーム（１Ｆ）目から４フレーム（４Ｆ）目までの各フレームについて、縦方向の４ドットは同時選択される４ラインに対応し、横方向はセグメント電極ＳＥＧ０〜ＳＥＧ３に対応しており、横方向の４出力毎に同様の表示パターンを繰り返す。図１１（Ｂ）のＦＲＣパターンにおいて、１フレーム（１Ｆ）目から３フレーム（３Ｆ）目までの各フレームについて、縦方向の４ドットは同時選択される４ラインに対応し、横方向はセグメント電極ＳＥＧ０〜ＳＥＧ２に対応しており、横方向の３出力毎に同様の表示パターンを繰り返す。なお、図１１（Ａ）、図１１（Ｂ）の各々では、ＦＲＣパターンの一部のみを示すが、他の階調レベルについてもオン又はオフを示すパターンが異なるＦＲＣパターンが設けられる。
【００９０】
ここで、階調レベル（０，１）はＦＲＣの階調レベル１／４、階調レベル（１，０）は階調レベル１／３に対応させている。従って、表示データ（Ｄ１，Ｄ０）が（０，０）のとき、ＦＲＣにかかわらず、全フレームに亘って「０」が出力される。また、表示データ（Ｄ７，Ｄ６）が（１，１）のとき、ＦＲＣにかかわらず、全フレームに亘って「１」が出力される。これに対して、表示データ（Ｄ３，Ｄ２）が（０，１）であるため、図１１（Ａ）のＦＲＣパターンに従って、セグメント出力毎に各フレームのオン又はオフを指定する信号が生成される。同様に、表示データ（Ｄ５，Ｄ４）が（１，０）であるため、図１１（Ｂ）のＦＲＣパターンに従って、セグメント出力毎に各フレームのオン又はオフを指定するＦＲＣデータが生成される。
【００９１】
図１２（Ａ）、図１２（Ｂ）に、表示データに基づいて選択されたＦＲＣパターンに対応したＦＲＣデータの一例を示す。図１２（Ａ）は、セグメント電極ＳＥＧ０のＦＲＣデータの一例を表す。図１２（Ｂ）は、セグメント電極ＳＥＧ１のＦＲＣデータの一例を表す。図１２（Ａ）、図１２（Ｂ）において、縦方向の４ドットは同時選択される４ラインに対応し、横方向は５フレーム目からのフレームに対応している。「０」は、ＦＲＣデータが「０」になり、「１」はＦＲＣデータが「１」となり、黒く塗りつぶした部分はＰＷＭデータがそのままＦＲＣデータとして出力される例を表す。
【００９２】
図１２（Ａ）、図１２（Ｂ）に示すように、表示データ（Ｄ１，Ｄ０）は（０，０）であるため、ＦＲＣによらずセグメント電極ＳＥＧ０、ＳＥＧ１では、全フレームに亘って「０」が出力される。同様に、表示データ（Ｄ７，Ｄ６）は（１，１）であるため、ＦＲＣによらずセグメント電極ＳＥＧ０、ＳＥＧ１では、全フレームに亘って「１」が出力される。
【００９３】
一方、セグメント電極ＳＥＧ０について、表示データ（Ｄ３，Ｄ２）は（０，１）であるため、図１１（Ａ）のＦＲＣパターンが示す表示パターンに従って、５フレーム目は「０」、６フレーム目は「０」、７フレーム目はＰＷＭデータ、８フレーム目は「０」、・・・を示すＦＲＣデータが生成される。また、表示データ（Ｄ５，Ｄ４）は（１，０）であるため、図１１（Ｂ）のＦＲＣパターンが示す表示パターンに従って、５フレーム目はＰＷＭデータ、６フレーム目は「０」、７フレーム目は「０」、８フレーム目はＰＷＭデータ、・・・を示すＦＲＣデータが生成される。
【００９４】
また、セグメント電極ＳＥＧ１について、表示データ（Ｄ３，Ｄ２）は（０，１）であるため、図１１（Ａ）のＦＲＣパターンが示す表示パターンに従って、５フレーム目から７フレーム目までは「０」、８フレーム目はＰＷＭデータ、・・・を示すＦＲＣデータが生成される。また、表示データ（Ｄ５，Ｄ４）は（１，０）であるため、図１１（Ｂ）のＦＲＣパターンが示す表示パターンに従って、５フレーム目は「０」、６フレーム目はＰＷＭデータ、７フレーム目及び８フレーム目は「０」、・・・を示すＦＲＣデータが生成される。
【００９５】
以下、他のセグメント電極についても同様のＦＲＣデータが生成される。
【００９６】
図１３（Ａ）、図１３（Ｂ）に、５フレーム目におけるＦＲＣデータの例を示す。図１３（Ａ）、図１３（Ｂ）において、階調レベル（０，１）の濃度設定を、３個のパルス分の期間（幅狭期間＝３／１６）、階調レベル（１，０）の濃度設定を、１３個のパルス分の期間（幅広期間＝１３／１６）に割り当てた例を表す。図１３（Ａ）は、セグメント出力の偶数端子のＦＲＣデータの一例を表し、図１３（Ｂ）は、セグメント出力の奇数端子のＦＲＣデータの一例を表す。
【００９７】
図１０（Ａ）、図１０（Ｂ）、図１２（Ａ）及び図１２（Ｂ）から、図１３（Ａ）、図１３（Ｂ）のように、液晶への印加電圧の極性を切り替える液晶交流化信号ＦＲ、フィールド信号Ｆ１、Ｆ２、表示データ、各フィールドにおける分割期間のＦＲＣデータが示される。
【００９８】
図１３（Ａ）は、図１２（Ａ）のＦＲＣデータに基づいて生成されたものであり、コモン電極ＣＯＭ０に対応したＦＲＣデータは、全フレームに亘って「０」となる。同様に、コモン電極ＣＯＭ３に対応したＦＲＣデータは、全フレームに亘って「１」となる。一方、コモン電極ＣＯＭ１に対応したＦＲＣデータは、図１２（Ａ）に示す通り、ＰＷＭデータにかかわらず「０」となる。また、コモン電極ＣＯＭ２に対応するＦＲＣデータは、図１２（Ａ）に示す通り、ＰＷＭデータがそのまま出力される。
【００９９】
図１３（Ｂ）は、図１２（Ｂ）のＦＲＣデータに基づいて生成されたものであり、コモン電極ＣＯＭ０に対応したＦＲＣデータは、全フレームに亘って「０」となる。同様に、コモン電極ＣＯＭ３に対応したＦＲＣデータは、全フレームに亘って「１」となる。一方、コモン電極ＣＯＭ１、ＣＯＭ２に対応したＦＲＣデータは、図１２（Ｂ）に示す通り、ＰＷＭデータにかかわらず「０」となる。なお、６フレーム目では、図１２（Ｂ）に示す通り、コモン電極ＣＯＭ２に対応したＦＲＣデータは、ＰＷＭデータがそのまま出力されることになる。
【０１００】
３．３  ＭＬＳデコード
上記のＦＲＣデータは、所与のＭＬＳ演算結果に対応したＭＬＳデコードにより、対応する駆動電圧を選択する信号に変換される。
【０１０１】
図１４に、ＭＬＳデコードの処理例の説明図を示す。図１４は、４ライン分のＦＲＣデータに対応して、各フィールド期間においてセグメント電極に印加される駆動電圧を表す。なお、図１４は、液晶交流化信号ＦＲがＬレベルのときの各セグメント電極の駆動電圧を表すが、液晶交流化信号ＦＲがＨレベルのときはコモン電極の選択パターンに合わせて液晶の印加電圧が逆極性となるように駆動電圧が生成される。
【０１０２】
ＭＬＳデコードにおいては、同時選択される４ライン分のＦＲＣデータと、フィールド信号Ｆ１、Ｆ２によって各フィールド期間におけるセグメント電極の駆動電圧が決定される。例えば、（Ｄ１，Ｄ０）の表示データに対応する１ラインのＦＲＣデータが「０」、（Ｄ３，Ｄ２）の表示データに対応する２ラインのＦＲＣデータが「０」、（Ｄ５，Ｄ４）の表示データに対応する３ラインのＦＲＣデータが「１」、（Ｄ７，Ｄ６）の表示データに対応する４ラインのＦＲＣデータが「０」のとき、第１のフィールド期間、第３のフィールド期間及び第４のフィールド期間において駆動電圧ＶＣ、第２のフィールド期間において駆動電圧Ｖ２が選択される。他のＦＲＣデータに対しても、同様に、駆動電圧が選択される。
【０１０３】
なお、ＭＬＳデコードの処理内容は図１４に示すものに限定されるものではなく、階調表示の高品位化のために処理内容が変更されたものも適用することができる。
【０１０４】
図１５（Ａ）、図１５（Ｂ）に、５フレーム目におけるセグメント出力の偶数端子のＭＬＳデコードの処理結果の一例を示す。図１５（Ａ）は、各フィールド期間におけるＦＲＣデータに対するＭＬＳデコード結果の一例を表す。図１５（Ｂ）は、図１５（Ａ）のＭＬＳデコード結果に対応した駆動波形の一例を模式的に表す。
【０１０５】
図１５（Ａ）に示す例では、第１のフィールド期間内でコモン電極ＣＯＭ０〜ＣＯＭ３が同時選択されるサブ選択期間の幅狭期間に駆動電圧ＶＣが出力された後、該サブ選択期間の幅広期間に駆動電圧ＭＶ１が出力される。同様に、第２のフィールド期間内でコモン電極ＣＯＭ０〜ＣＯＭ３が同時選択されるサブ選択期間の幅狭期間に駆動電圧ＶＣが出力された後、該サブ選択期間の幅広期間に駆動電圧Ｖ１が出力される。その他のフィールドも同様である。
【０１０６】
その結果、各フィールド期間内でコモン電極ＣＯＭ０〜ＣＯＭ３が同時選択されるサブ選択期間の幅狭期間と幅広期間とに、図１５（Ｂ）に示す波形の駆動電圧がセグメント出力の偶数端子（例えばセグメント電極ＳＥＧ０）に出力される。同様に、各フィールド期間内でコモン電極ＣＯＭ４〜ＣＯＭ７が同時選択されるサブ選択期間の幅狭期間と幅広期間とに、ＭＬＳデコード結果に対応した駆動電圧がセグメント出力の偶数端子に出力される。
【０１０７】
図１６（Ａ）、図１６（Ｂ）に、５フレーム目におけるセグメント出力の奇数端子のＭＬＳデコードの処理結果の一例を示す。図１６（Ａ）は、各フィールド期間におけるＦＲＣデータに対するＭＬＳデコード結果の一例を表す。図１６（Ｂ）は、図１６（Ａ）のＭＬＳデコード結果に対応した駆動波形の一例を模式的に表す。
【０１０８】
図１６（Ａ）に示す例では、第１のフィールド期間内でコモン電極ＣＯＭ０〜ＣＯＭ３が同時選択されるサブ選択期間の幅広期間に駆動電圧ＶＣが出力された後、該サブ選択期間の幅狭期間に駆動電圧ＶＣが出力される。同様に、第２のフィールド期間内でコモン電極ＣＯＭ０〜ＣＯＭ３が同時選択されるサブ選択期間の幅広期間に駆動電圧ＶＣが出力された後、該サブ選択期間の幅狭期間に駆動電圧ＶＣが出力される。その他のフィールドも同様である。
【０１０９】
その結果、各フィールド期間内でコモン電極ＣＯＭ０〜ＣＯＭ３が同時選択されるサブ選択期間の幅広期間と幅狭期間とに、図１６（Ｂ）に示す波形の駆動電圧がセグメント出力の奇数端子（例えばセグメント電極ＳＥＧ１）に出力される。同様に、各フィールド期間内でコモン電極ＣＯＭ４〜ＣＯＭ７が同時選択されるサブ選択期間の幅広期間と幅狭期間とに、ＭＬＳデコード結果に対応した駆動電圧がセグメント出力の奇数端子に出力される。
【０１１０】
このように、本実施形態によれば、ＭＬＳ駆動法により液晶駆動する際に、各選択期間においてＰＷＭ方式及びＦＲＣ方式の階調表示を行う。このとき、中間調の階調レベルを、ＰＷＭの任意の分割期間（幅広期間、幅狭期間）に割り当てたり、ＦＲＣの任意の階調レベルに割り当てたりすることで、ＰＷＭ方式の設定とＦＲＣ方式の設定の組み合わせの自由度を上げ、中間調の濃度設定の自由度を上げることができる。
【０１１１】
４．  液晶駆動装置
次に、上記のＭＬＳ駆動法により液晶駆動する液晶駆動装置１００の構成例について説明する。
【０１１２】
図１７に、本実施形態における液晶駆動装置１００の構成例のブロック図を示す。図１７では、液晶駆動装置１００が４ライン同時選択のＭＬＳ駆動を行うものとして説明するが、本実施形態は同時選択ライン数に限定されない。なお、図１７において図１と同一部分には同一符号を付し、適宜説明を省略する。
【０１１３】
液晶駆動装置１００は、設定レジスター１０２と、ホストプロセッサー用インターフェイス１１０と、発振回路１１２と、制御回路１１４と、コモンアドレスデコーダー１１６と、コモン出力演算回路１１８と、コモンドライバー１２０と、ページアドレス制御回路１２２と、カラムアドレス制御回路１２４と、ラインアドレス制御回路１２６と、表示データＲＡＭ１２８と、階調パラメーター割当回路１３２、ＰＷＭデコーダー１３４と、ＦＲＣデコーダー１３６と、ＭＬＳデコーダー１３８と、セグメントドライバー１４０とを含む。本実施形態における駆動部は、コモンドライバー１２０及びセグメントドライバー１４０を含んで構成され、コモンアドレスデコーダー１１６、コモン出力演算回路１１８、階調パラメーター割当回路１３２、ＰＷＭデコーダー１３４、ＦＲＣデコーダー１３６及びＭＬＳデコーダー１３８の少なくとも１つを更に含んでもよい。
【０１１４】
設定レジスター１０２は、液晶駆動装置１００を制御する制御データが設定される複数のレジスターを有する。設定レジスター１０２が有する各レジスターは、ホストプロセッサー用インターフェイス１１０を介してホストプロセッサー３０によりアクセスされる。ホストプロセッサー３０によって指定された制御データは、制御回路１１４を介して、対応するレジスターに設定される。
【０１１５】
ホストプロセッサー用インターフェイス１１０は、液晶駆動装置１００が有する入力端子又は入出力端子を介してホストプロセッサー３０から入力される入力信号の入力インターフェイス処理や、液晶駆動装置１００が有する出力端子又は入出力端子を介してホストプロセッサー３０に出力する出力信号の出力インターフェイス処理を行う。
【０１１６】
発振回路１１２は、液晶駆動装置１００が生成する表示タイミング信号の基準となる発振クロックＯＳＣを発振動作により生成する。例えば、制御回路１１４は、発振クロックＯＳＣに基づいて、複数種類の表示タイミング信号を生成する。この制御回路１１４は、コモンアドレスデコーダー１１６等の液晶駆動装置１００の各部を制御する制御信号を生成する。
【０１１７】
コモンアドレスデコーダー１１６は、制御回路１１４において生成されＭＬＳ駆動において同時選択される複数のコモン電極に対応したコモンアドレスをデコードする。このデコード結果はコモンドライバー１２０に出力される。コモンアドレスは、同時選択される複数のコモン電極毎に割り当てられ、ＭＬＳ駆動を行う際にコモンアドレスを指定することで、対応するコモン電極が選択される。
【０１１８】
コモン出力演算回路１１８は、制御回路１１４において生成される液晶交流化信号ＦＲ、ＭＬＳ駆動パターンを識別するフィールド信号Ｆ１、Ｆ２に基づいて、コモン出力の出力レベルを制御する。
【０１１９】
コモンドライバー１２０は、コモンアドレスデコーダー１１６のデコード結果に基づいて、コモン出力の選択／非選択を制御し、選択されたコモン出力として、コモン出力演算回路１１８で生成された出力レベルを出力する。
【０１２０】
ページアドレス制御回路１２２は、ホストプロセッサー用インターフェイス１１０を介してホストプロセッサー３０から入力される表示データを表示データＲＡＭ１２８にアクセスするためのページアドレスを制御する。ページアドレスは、ホストプロセッサー３０から入力される表示データのバス幅をアクセス単位として定義される。
【０１２１】
カラムアドレス制御回路１２４は、ホストプロセッサー用インターフェイス１１０を介してホストプロセッサー３０から入力される表示データを表示データＲＡＭ１２８にアクセスするためのカラムアドレスを制御する。カラムアドレスは、液晶表示パネル２０のセグメント電極に対応して定義される。
【０１２２】
ラインアドレス制御回路１２６は、表示データＲＡＭ１２８に保存された表示データのうち読み出しラインを特定するラインアドレスを制御する。ラインアドレスは、液晶表示パネル２０のコモン電極に対応して定義される。
【０１２３】
表示データＲＡＭ１２８は、液晶表示パネル２０の画素の並びに対応して、各画素の表示データが記憶される記憶領域を有する。各記憶領域は、ページアドレス及びカラムアドレスにより特定される。これにより、表示データＲＡＭ１２８には、ページアドレス及びカラムアドレスにより特定される領域に表示データが書き込まれる。一方、表示データＲＡＭ１２８からは１ライン単位で表示データが読み出される。
【０１２４】
階調パラメーター割当回路１３２は、各ドット当たり２（＝Ｎ）ビットの表示データを５（＝Ｍ）ビットの階調パラメーターに割り当てる。本実施形態では、予め決められた階調レベル（０，１）、（１，０）に対応する表示データに対して階調パラメーターを割り当てるものとするが、どの表示データ（階調レベル）をどの階調パラメーターに割り当てるかは、ホストプロセッサー３０により設定レジスター１０２に設定される制御データにより指定できるようにしてもよい。いずれの場合でも、制御回路１１４からは階調パラメーターの割当情報が階調パラメーター割当回路１３２に入力される。
【０１２５】
ＰＷＭデコーダー１３４は、階調パラメーター割当回路１３２によって割り当てられた階調パラメーターの上位ビットに基づいて、上記のようにＰＷＭデコードを行い、ＰＷＭデータを生成する。より具体的には、ＰＷＭデコーダー１３４は、階調パラメーターの上位の２ビットに基づいて、サブ選択期間内のいずれの分割期間を用いて階調表示をするかを決定する（幅狭期間又は幅広期間を選択する）。サブ選択期間内に設けられる分割期間の数、長さ等は、ホストプロセッサー３０により設定レジスター１０２に設定される制御データにより指定できるようになっており、制御回路１１４からはＰＷＭ設定情報がＰＷＭデコーダー１３４に入力される。
【０１２６】
ＦＲＣデコーダー１３６は、階調パラメーター割当回路１３２によって割り当てられた階調パラメーターの下位ビットに基づいて、上記のようにＦＲＣデコードを行い、ＦＲＣデータを生成する（ＦＲＣパターンを選択する）。より具体的には、ＦＲＣデコーダー１３６は、階調パラメーターの下位の３ビットに基づいて、ＰＷＭデータに対応したＦＲＣパターンが示す表示パターンによりフレーム毎にオン又はオフを指定するＦＲＣデータを生成する。ＦＲＣパターンやフレーム番号等は、予め制御回路１１４において保存又は生成されており、制御回路１１４からはＦＲＣ制御情報がＦＲＣデコーダー１３６に入力される。
【０１２７】
ＭＬＳデコーダー１３８は、ＦＲＣデータ（広義には、表示データ又は該表示データに対応した階調パラメーター）と、制御回路１１４において生成されＭＬＳ駆動を行うための表示タイミング信号とをデコードして、所与のＭＬＳ演算結果に対応したデコード結果を生成する。より具体的には、ＭＬＳデコーダー１３８は、ＦＲＣデータ、制御回路１１４によって生成される液晶交流化信号ＦＲ、及びフィールド信号Ｆ１、Ｆ２に基づいて、セグメント出力の出力レベルを制御する。このＭＬＳデコーダー１３８のデコード結果は、セグメントドライバー１４０に出力される。
【０１２８】
セグメントドライバー１４０は、ＭＬＳデコーダー１３８のデコード結果に基づいて、セグメント電極に、ＭＬＳデコーダー１３８でデコードされた出力レベルを出力する。なお、セグメントドライバー１３８には、制御回路１１４において生成された表示オフ信号ＸＤＯＦにより、ＭＬＳデコーダー１３８のデコード結果にかかわらずセグメント電極に所与の出力レベルを出力して表示をオフにする制御を行うことができるようになっている。本実施形態では、表示オフ信号ＸＤＯＦにより、コモン電極と同電位となるような出力レベルをセグメント電極に出力することで、表示をオフする。
【０１２９】
このような構成の液晶駆動装置１００において、１水平走査期間毎に出力されるラッチパルスＬＰに同期して、コモンドライバー１２０は同時選択される複数のコモン電極に選択パルスを出力し、セグメントドライバー１４０は表示データ及び表示タイミング信号に基づいてデコードした出力レベルを各セグメント電極に出力することができる。
【０１３０】
図１８に、図１７の設定レジスター１０２の構成の概要を示す。図１８において、図１７と同一部分には同一符号を付し、適宜説明を省略する。
図１９に、図１８のＰＷＭ設定レジスターの説明図を示す。
図２０に、図１８の第１の階調レベル設定レジスターの説明図を示す。図２０では第１の階調レベル設定レジスターについて説明するが、第２の階調レベル設定レジスターは第１の階調レベル設定レジスターと同様である。
【０１３１】
設定レジスター１０２は、ＰＷＭ設定レジスター１０４、第１の階調レベル設定レジスター１０６、第２の階調レベル設定レジスター１０８を含む。
【０１３２】
図１９に示すＰＷＭ設定レジスター１０４には、ＰＷＭ設定情報に対応した制御データが設定される。この制御データの一部には、幅広期間と幅狭期間との順番を前後に切り替えるタイミングに対応している。例えば、制御データの一部が「００１」に設定された場合、２フレーム毎に、幅広期間と幅狭期間との順番が前後に切り替えられるように制御される。
【０１３３】
また、制御データの他の一部は、幅広期間の長さ及び幅狭期間の長さに対応している。例えば、制御データの他の一部が「０００」に設定された場合、幅広期間が１６個のパルスのうち１４個分のパルスに対応する期間（１４／１６）であり、幅狭期間が１６個のパルスのうち２個分のパルスに対応する期間（２／１６）に設定される。また、例えば、制御データの他の一部が「１００」に設定された場合、幅広期間が１６個のパルスのうち１０個分のパルスに対応する期間（１０／１６）であり、幅狭期間が１６個のパルスのうち６個分のパルスに対応する期間（６／１６）に設定される。
【０１３４】
このようなＰＷＭ設定レジスター１０４に設定された制御データに対応したＰＷＭ設定情報は、制御回路１１４及びＰＷＭデコーダー１３４に対して出力される。
【０１３５】
図２０に示す第１の階調レベル設定レジスター１０６には、階調レベル（０，１）の濃度設定情報に対応した制御データが設定される。この制御データの上位２ビット（制御データの一部）は、階調レベル（０，１）の濃度設定を、ＰＷＭの分割期間のうち幅狭期間、幅広期間、１００％（幅狭期間と幅広期間の両方）のいずれに割り当てるかを指定する。例えば、この制御データの上位２ビットに「０１」が設定された場合、階調レベル（０，１）の濃度設定が幅広期間に設定される。
【０１３６】
また、制御データの下位３ビット（制御データの他の一部）は、階調レベル（０，１）の濃度設定を、ＦＲＣのどの階調レベルに割り当てるかを指定する。例えば、制御データの下位３ビットが「０００」と設定された場合、階調レベル（０，１）の濃度設定がＦＲＣの階調レベル１／４に割り当てられる。また、例えば、制御データの下位３ビットが「０１１」と設定された場合、階調レベル（０，１）の濃度設定がＦＲＣの階調レベル２／３に割り当てられる。
【０１３７】
このような第１の階調レベル設定レジスター１０６に設定された制御データに対応した第１の階調レベル設定情報は、制御回路１１４及び階調パラメーター割当回路１３２に対して出力される。
【０１３８】
同様に、図示しない第２の階調レベル設定レジスター１０８には、階調レベル（１，０）の濃度設定情報に対応した制御データが設定される。この制御データの上位２ビットは、階調レベル（１，０）の濃度設定を、ＰＷＭの分割期間のうち幅狭期間、幅広期間、１００％（幅狭期間と幅広期間の両方）のいずれに割り当てるかを指定する。例えば、この制御データの上位２ビットに「０１」が設定された場合、階調レベル（１，０）の濃度設定が幅広期間に設定される。
【０１３９】
また、制御データの下位３ビットは、階調レベル（１，０）の濃度設定を、ＦＲＣのどの階調レベルに割り当てるかを指定する。例えば、制御データの下位３ビットが「０００」と設定された場合、階調レベル（１，０）の濃度設定がＦＲＣの階調レベル１／４に割り当てられる。また、例えば、制御データの下位３ビットが「０１１」と設定された場合、階調レベル（１，０）の濃度設定がＦＲＣの階調レベル２／３に割り当てられる。
【０１４０】
このような第２の階調レベル設定レジスター１０８に設定された制御データに対応した第２の階調レベル設定情報は、制御回路１１４及び階調パラメーター割当回路１３２に対して出力される。
【０１４１】
図２１に、図１７の液晶駆動装置１００の構成要部のブロック図の一例を示す。図２１は、１セグメント出力当たりの構成例のブロック図を表す。図２１において、図１７と同一部分には同一符号を付し、適宜説明を省略する。
図２２に、図２１の階調処理回路の構成例のブロック図を示す。図２２において、図１７と同一部分には同一符号を付し、適宜説明を省略する。
【０１４２】
液晶駆動装置１００は、図２１に示すように、階調処理回路２００、分割期間データラッチ２１０、分割期間出力選択回路２１２、ＭＬＳデコーダー１３８、セグメントドライバー１４０を含む。セグメントドライバー１４０は、前出力用データラッチ（第１の出力用データラッチ）２１４、後出力用データラッチ（第２の出力用データラッチ）２１６、出力選択回路２１８、表示オフ制御回路２２０、レベルシフター（Ｌ／Ｓ）２２２、出力回路２２４を含む。階調処理回路２００は、図２２に示すように、シリアル／パラレル変換回路（以下、Ｓ／Ｐ変換回路）２０２、階調パラメーター割当回路１３２、ＰＷＭデコーダー１３４、ＦＲＣデコーダー１３６を含む。階調処理回路２００、分割期間データラッチ２１０、分割期間出力選択回路２１２、ＭＬＳデコーダー１３８、セグメントドライバー１４０を含む。セグメントドライバー１４０は、前出力用データラッチ２１４、後出力用データラッチ２１６、出力選択回路２１８、表示オフ制御回路２２０、レベルシフター２２２、及び出力回路２２４の各々は、制御回路１１４からの図示しない制御信号により制御される。
【０１４３】
階調処理回路２００は、表示データＲＡＭ１２８から１ビットのシリアルデータとして表示データを４ライン分読み出し、Ｓ／Ｐ変換回路２０２において１ドット当たりのビット数（＝２）がパラレルのデータに変換する。制御回路１１４は、各ドットの表示データがシリアルに入力されるタイミングに合わせて階調処理回路２００等に制御信号を供給する。
【０１４４】
階調パラメーター割当回路１３２は、各ドットの表示データが、階調レベル（０，１）又は階調レベル（１，０）のとき、制御回路１１４からの階調レベル設定情報に基づき、第１の階調レベル設定レジスター１０６又は第２の階調レベル設定レジスター１０８に予め設定された５ビットの階調パラメーターに割り当てる。そして、ＰＷＭデコーダー１３４は、制御回路１１４からのＰＷＭ設定情報に基づいて、上記のように階調パラメーター割当回路１３２に割り当てられた上位２ビットで指定された分割期間に対応したＰＷＭデータを生成する。ＰＷＭデータはＦＲＣデコーダー１３６に入力され、ＦＲＣデコーダー１３６は、上記のように階調パラメーターの下位３ビットで指定されたＦＲＣの濃度設定に対応したＦＲＣデータを生成する。
【０１４５】
分割期間データラッチ２１０は、同時選択される４ライン分のデータラッチを含む。各ラインのデータラッチは、幅狭期間用データラッチ（第１の分割期間用データラッチ）及び幅広期間用データラッチ（第２の分割期間用データラッチ）を含む。幅狭期間用データラッチには、階調処理回路２００において幅狭期間に割り当てられたＦＲＣデータがラッチされる。幅広期間用データラッチには、階調処理回路２００において幅広期間に割り当てられたＦＲＣデータがラッチされる。これにより、４ライン分の幅狭期間用データラッチ及び幅広期間用データラッチには、ＭＬＳデコードで必要なＦＲＣデータが保存される。
【０１４６】
分割期間出力選択回路２１２は、幅狭期間及び幅狭期間を切り替えるタイミングに同期して、幅狭期間用データラッチにラッチされたＦＲＣデータ又は幅広期間用データラッチにラッチされたＦＲＣデータを出力する。
【０１４７】
ＭＬＳデコーダー１３８は、分割期間出力選択回路２１２から順次出力される４ライン分のＦＲＣデータに対して、同時選択されるコモン電極の選択パターンに応じて、上記のように所与のＭＬＳ演算結果に対応したＭＬＳデコード結果を出力する。
【０１４８】
前出力用データラッチ２１４には、ＭＬＳデコーダー１３８からのデコード結果のうち、サブ選択期間内の前半に出力する幅狭期間用のＭＬＳデコード結果又は幅広期間用のＭＬＳデコード結果のいずれかをラッチする。後出力用データラッチ２１６には、ＭＬＳデコーダー１３８からのデコード結果のうち、サブ選択期間内の後半に出力する幅狭期間用のＭＬＳデコード結果又は幅広期間用のＭＬＳデコード結果のいずれかをラッチする。出力選択回路２１８は、幅狭期間及び幅広期間の前後を切り替えるタイミングに同期して、前出力用データラッチ２１４にラッチされたデコード結果又は後出力用データラッチ２１６にラッチされたデコード結果を出力する。この出力選択回路２１８により、図１９のＰＷＭ設定レジスター１０４で設定された切り替えタイミングで、幅狭期間及び幅広期間の前後を容易に切り替えることができるようになる。
【０１４９】
表示オフ制御回路２２０は、制御回路１１４からの表示オフ信号ＸＤＯＦに基づいて、ＭＬＳデコーダー１３８のデコード結果にかかわらず、セグメント電極に、対応するコモン電極と同電位となる出力レベルを出力して表示をオフにする制御を行う。
【０１５０】
レベルシフター２２２は、出力選択回路２１８及び表示オフ制御回路２２０からの出力に基づいて、図３に示すセグメント電極の複数レベルの駆動電圧のレベルに変換する。出力回路２２４は、制御回路１１４から指示される駆動タイミングに同期して、レベルシフター２２２で変換されたレベルの駆動電圧をセグメント電極に印加する。
【０１５１】
以上説明したように、本実施形態においては、ＭＬＳ駆動を行う際に、２ビットの表示データを５ビットの階調パラメーターに割り当てる。そして、該階調パラメーターに基づいて選択される分割期間を用いてＰＷＭによる階調表示を行うと共に、該階調パラメーターに基づいて選択されるＦＲＣの濃度設定が可能となり、階調表示の際に、中間調の濃度設定の自由度を向上させることができるようになる。
【０１５２】
図２３に、本実施形態の効果の説明図を示す。図２３は、縦軸にＰＷＭによる中間調の濃度設定を表し、横軸にＦＲＣによる中間調の濃度設定を表す。また、図２３では、濃度設定の単位をパーセントで表示している。なお、図２３では、説明を簡略化するために、ＦＲＣの階調レベルが、０／４、１／４、２／４、３／４、４／４のみであるものとして説明する。
【０１５３】
例えば、４階調のうちの中間調の一方の階調レベルに対して、ＰＷＭの濃度設定を６０％と設定すると、ＦＲＣの濃度設定と組み合わせた場合に、０％、１５％、３０％、４５％、６０％のいずれか（図２３の範囲２５０の部分）の階調表示が可能となる。ところが、従来では、たとえＭＬＳ駆動法においてＰＷＭ方式とＦＲＣ方式とを組み合わせたとしても、例えば特許文献２のように表示データの上位ビットを幅広期間、下位ビットを幅狭期間に対応させていたため、幅狭期間はＰＷＭの濃度設定が４０％（＝１００％−６０％）の中の０％、１０％、２０％、３０％、４０％のいずれか（図２３の範囲２５２の部分）で階調表示を行うしかなく、中間調の他方の階調レベルについての濃度設定の自由度に制約があった。
【０１５４】
これに対して、本実施形態によれば、上記のように幅広期間及び幅狭期間を表示データにかかわらず指定できるため、幅広期間及び幅狭期間の各々について図２３の範囲２５０のいずれかの中から選択したり、幅広期間及び幅狭期間の各々について図２３の範囲２５２のいずれかの中から選択したりできるようになる。図２３の例では、表示データにかかわらず、４階調のうちの２つの階調レベルの各々について図２３の範囲２５０の中から選択できたり、２つの階調レベルの各々について図２３の範囲２５２の中から選択できたりする。従って、本実施形態によれば、同一フレーム内でＰＷＭ方式及びＦＲＣ方式の階調表示を行う場合に、中間調の濃度設定の自由度を向上させることができるようになる。
【０１５５】
５．  変形例
５．１  第１の変形例
本実施形態における液晶駆動装置１００の構成は、図１７、図２０及び図２１に示す構成に限定されるものではない。本実施形態では、１セグメント出力当たり４ライン分の表示データをシリアルにＰＷＭデコード及びＦＲＣデコード等を行う構成を有していたが、本実施形態の第１の変形例では、液晶駆動装置が、１セグメント出力当たり各ラインの表示データをパラレルにＰＷＭデコード及びＦＲＣデコード等を行う構成を有している。以下、第１の変形例における液晶駆動装置の構成例について説明する。第１の変形例における液晶駆動装置は、図１７と同様の構成を有する。
【０１５６】
図２４に、本実施形態の第１の変形例における液晶駆動装置の構成要部のブロック図の一例を示す。図２４は、１セグメント出力当たりの構成例のブロック図を表す。図２４において、図２１と同一部分には同一符号を付し、適宜説明を省略する。
図２５に、図２４の階調処理回路の構成例のブロック図を示す。図２５において、図２２と同一部分には同一符号を付し、適宜説明を省略する。
【０１５７】
第１の変形例における液晶駆動装置１００ａの構成が、図２１に示す液晶駆動装置１００の構成と異なる点は、１セグメント出力当たり各ラインの表示データをパラレルにＰＷＭデコード及びＦＲＣデコード等を行う構成を有している点である。そのため、液晶駆動装置１００ａは、液晶駆動装置１００における階調処理回路２００、分割期間データラッチ２１０及び分割期間出力選択回路２１２に代えて、階調処理回路２００ａ、２００ｂ、２００ｃ、２００ｄ、分割期間データラッチ２１０ａ、２１０ｂ、２１０ｃ、２１０ｄ、分割期間出力選択回路２１２ａ、２１２ｂ、２１２ｃ、２１２ｄを有している点である。
【０１５８】
階調処理回路２００ａ、分割データラッチ２１０ａ及び分割期間出力選択回路２１２ａは、同時選択される４ラインのうちの１ライン目に対応して設けられる。階調処理回路２００ｂ、分割データラッチ２１０ｂ及び分割期間出力選択回路２１２ｂは、同時選択される４ラインのうちの２ライン目に対応して設けられる。階調処理回路２００ｃ、分割データラッチ２１０ｃ及び分割期間出力選択回路２１２ｃは、同時選択される４ラインのうちの３ライン目に対応して設けられる。階調処理回路２００ｄ、分割データラッチ２１０ｄ及び分割期間出力選択回路２１２ｄは、同時選択される４ラインのうちの４ライン目に対応して設けられる。階調処理回路２００ａ、２００ｂ、２００ｃ、２００ｄの各々は、同様の構成を有している。分割期間データラッチ２１０ａ、２１０ｂ、２１０ｃ、２１０ｄの各々は、同様の構成を有している。分割期間出力選択回路２１２ａ、２１２ｂ、２１２ｃ、２１２ｄの各々は、同様の構成を有している。以下では、階調処理回路２００ａ、分割データラッチ２１０ａ及び分割期間出力選択回路２１２ａについて説明する。
【０１５９】
階調処理回路２００ａは、表示データＲＡＭ１２８から１ビットのシリアルデータとして２ビットの表示データを読み出し、Ｓ／Ｐ変換回路２０２ａにおいて１ドット当たりのビット数（＝２）がパラレルのデータに変換する。制御回路１１４は、各ドットの表示データがシリアルに入力されるタイミングに合わせて階調処理回路２００ａ等に制御信号を供給する。
【０１６０】
階調パラメーター割当回路１３２は、各ドットの表示データが、階調レベル（０，１）又は階調レベル（１，０）のとき、制御回路１１４からの階調レベル設定情報に基づき、第１の階調レベル設定レジスター１０６又は第２の階調レベル設定レジスター１０８に予め設定された５ビットの階調パラメーターに割り当てる。そして、ＰＷＭデコーダー１３４は、制御回路１１４からのＰＷＭ設定情報に基づいて、上記のように階調パラメーター割当回路１３２に割り当てられた上位２ビットで指定された分割期間に対応したＰＷＭデータを生成する。ＰＷＭデータはＦＲＣデコーダー１３６に入力され、ＦＲＣデコーダー１３６は、上記のように階調パラメーターの下位３ビットで指定されたＦＲＣの濃度設定に対応したＦＲＣデータを生成する。
【０１６１】
分割期間データラッチ２１０ａは、幅狭期間用データラッチ（第１の分割期間用データラッチ）及び幅広期間用データラッチ（第２の分割期間用データラッチ）を含む。幅狭期間用データラッチには、階調処理回路２００ａにおいて幅狭期間に割り当てられたＦＲＣデータがラッチされる。幅広期間用データラッチには、階調処理回路２００ａにおいて幅広期間に割り当てられたＦＲＣデータがラッチされる。
【０１６２】
分割期間出力選択回路２１２ａは、幅狭期間及び幅狭期間を切り替えるタイミングに同期して、幅狭期間用データラッチにラッチされたＦＲＣデータ又は幅広期間用データラッチにラッチされたＦＲＣデータを出力する。
【０１６３】
ＭＬＳデコーダー１３８は、分割期間出力選択回路２１２ａ〜２１２ｄから出力される４ライン分のＦＲＣデータに対して、同時選択されるコモン電極の選択パターンに応じて、上記のように所与のＭＬＳ演算結果に対応したＭＬＳデコード結果を出力する。液晶駆動装置１００ａは、ＭＬＳデコーダー１３８からのＭＬＳデコード結果に対しては、本実施形態と同様の制御により、セグメント電極に駆動電圧を印加する。
【０１６４】
このような第１の変形例における液晶駆動装置１００ａは、図１に示す電子機器１０において、液晶駆動装置１００に代えて適用することができる。
【０１６５】
以上説明したように、第１の変形例によれば、液晶駆動装置内の動作クロックを早めることなくセグメント電極を駆動することができるようになり、本実施形態の効果に加えて、より一層の低消費電力化を図ることが可能となる。
【０１６６】
５．２  第２の変形例
本実施形態又はその第１の変形例では、液晶駆動装置が液晶表示パネル２０の外部に設けられていたが、これに限定されるものではない。
【０１６７】
図２６に、本実施形態の第２の変形例における電子機器の構成例のブロック図を示す。図２６において、図１と同一部分には同一符号を付し、適宜説明を省略する。
【０１６８】
第２の変形例における電子機器１０ａの構成が図１に示す電子機器１０の構成と異なる点は、液晶駆動装置１００（又は液晶駆動装置１００ａ）が液晶表示パネル２０ａが形成されるガラス基板上に実装されている点である。
【０１６９】
ここで、液晶表示パネル２０ａは、単純マトリックス型の表示パネルである。液晶表示パネル２０ａは、ドット形成領域２２において、一対の透明なガラス基板の間に、透明電極で形成され互いに交差するように配置された複数のコモン電極ＣＯＭ０〜ＣＯＭｎ、複数のセグメント電極ＳＥＧ０〜ＳＥＧｍ、配向膜及び液晶等を封入して形成される。液晶表示パネル２０ａにおいては、コモン電極及びセグメント電極の交差領域に対応してドットが形成される。例えばコモン電極ＣＯＭｊ及びセグメント電極ＳＥＧｋの交差領域に対応してドットＰｊｋが形成される。
【０１７０】
液晶駆動装置１００（又は液晶駆動装置１００ａ）は、液晶表示パネル２０ａのコモン電極及びセグメント電極と、ガラス基板上に形成された導電性部材を介して電気的に接続される。ホストプロセッサー３０及び電源回路４０も、ガラス基板上に形成された導電性部材を介して、液晶駆動装置１００と電気的に接続される。
【０１７１】
このような構成を有する電子機器１０ａもまた、電子機器１０と同様の機器に適用することができる。
【０１７２】
以上、本発明に係る電気光学装置の駆動方法、電気光学装置の駆動装置、電気光学装置及び電子機器等を上記の実施形態形又はその変形例に基づいて説明したが、本発明は上記の実施形態形又はその変形例に限定されるものではなく、その要旨を逸脱しない範囲において種々の態様において実施することが可能であり、例えば次のような変形も可能である。
【０１７３】
（１）上記の実施形態又はその変形例では、電気光学装置として液晶表示パネルを例に説明したが、本発明はこれに限定されるものではない。例えば、有機ＥＬディスプレイパネルやプラズマディスプレイ等の他の表示パネルを駆動する駆動装置にも適用することができる。
【０１７４】
（２）上記の実施形態又はその変形例では、４ラインを同時選択するＭＬＳ駆動を例に説明したが、本発明は同時選択されるライン数に限定されるものではない。
【０１７５】
（３）上記の実施形態又はその変形例では、液晶駆動装置として図１７、図２１、図２２、図２４、図２５に示す構成について説明したが、本発明は、これらの構成に限定されるものではない。
【符号の説明】
【０１７６】
１０，１０ａ…電子機器、  ２０，２０ａ…液晶表示パネル、
３０…ホストプロセッサー、  ４０…電源回路、  ＣＯＭ０〜ＣＯＭｎ…コモン電極、
ＳＥＧ０〜ＳＥＧｍ…セグメント電極、  １００，１００ａ…液晶駆動装置、
１０２…設定レジスター、  １０４…ＰＷＭ設定レジスター、
１０６…第１の階調レベル設定レジスター、
１０８…第２の階調レベル設定レジスター、
１１０…ホストプロセッサー用インターフェイス、  １１２…発振回路、
１１４…制御回路、  １１６…コモンアドレスデコーダー、
１１８…コモン出力演算回路、  １２０…コモンドライバー、
１２２…ページアドレス制御回路、  １２４…カラムアドレス制御回路、
１２６…ラインアドレス制御回路、  １２８…表示データＲＡＭ、
１３２…階調パラメーター割当回路、  １３４…ＰＷＭデコーダー、
１３６…ＦＲＣデコーダー、  １３８…ＭＬＳデコーダー、
１４０…セグメントドライバー、
２００，２００ａ，２００ｂ，２００ｃ，２００ｄ…階調処理回路、
２０２，２０２ａ…Ｓ／Ｐ変換回路、
２１０，２１０ａ，２１０ｂ，２１０ｃ，２１０ｄ…分割期間データラッチ、
２１２，２１２ａ，２１２ｂ，２１２ｃ，２１２ｄ…分割期間出力選択回路、
２１４…前出力用データラッチ、  ２１６…後出力用データラッチ、
２１８…出力選択回路、  ２２０…表示オフ制御回路、  ２２２…レベルシフター、
２２４…出力回路
【図１】
2011137929.tif 000003
【図２】
2011137929.tif 000004
【図３】
2011137929.tif 000005
【図４】
2011137929.tif 000006
【図５】
2011137929.tif 000007
【図６】
2011137929.tif 000008
【図７】
2011137929.tif 000009
【図８】
2011137929.tif 000010
【図９】
2011137929.tif 000011
【図１０】
2011137929.tif 000012
【図１１】
2011137929.tif 000013
【図１２】
2011137929.tif 000014
【図１３】
2011137929.tif 000015
【図１４】
2011137929.tif 000016
【図１５】
2011137929.tif 000017
【図１６】
2011137929.tif 000018
【図１７】
2011137929.tif 000019
【図１８】
2011137929.tif 000020
【図１９】
2011137929.tif 000021
【図２０】
2011137929.tif 000022
【図２１】
2011137929.tif 000023
【図２２】
2011137929.tif 000024
【図２３】
2011137929.tif 000025
【図２４】
2011137929.tif 000026
【図２５】
2011137929.tif 000027
【図２６】
2011137929.tif 000028